(57)【特許請求の範囲】
【請求項１】
第１，第２，第３の入力信号に基づいて目的の出力パルス信号を得るパルス発生装置であって、
第１の入力信号の立ち上がりで入力に対して出力をする第１のＤフリップフロップと、
第２の入力信号の立ち上がりで入力に対して出力をする第２のＤフリップフロップと、
第３の入力信号の立ち上がりで入力に対して出力をする第３のＤフリップフロップと、
第１，第2のＤフリップフロップの出力を入力とする第１のＥｘ−ＯＲと、
第3のＤフリップフロップの出力と第１のＥｘ−ＯＲの出力を入力とする第２のＥｘ−ＯＲと、
第１のＤフリップフロップの出力の反転信号と第２のＥｘ−ＯＲの出力とを入力とし出力を第１のＤフリップフリップの入力とする第３のＥｘ−ＯＲと、
第２のＤフリップフロップの出力の反転信号と第２のＥｘ−ＯＲの出力とを入力とし出力を第２のＤフリップフリップの入力とする第１のＥｘ−ＮＯＲと、
第３のＤフリップフロップの出力の反転信号と第２のＥｘ−ＯＲの出力とを入力とし出力を第３のＤフリップフリップの入力とする第４のＥｘ−ＯＲと
を備え、第２のＥｘ−ＯＲの出力から目的の出力パルス信号を得る
パルス発生装置。
【請求項２】
第１，第２，第３の入力信号が、光ディスク記録装置の書き込みマーク長に適するように調整されたクロック信号である請求項１記載のパルス発生装置。
【発明の詳細な説明】
【０００１】
【発明の属する技術分野】
本発明はＣＤ−Ｒ，ＣＤ−ＲＷ等の光ディスク記録装置の書き込みパルスなどの発生に使用されるパルス発生装置に関する。
【０００２】
【従来の技術】
書き換え可能型光ディスク媒体の一つとしてＣＤ−ＲＷがある。ＣＤ−ＲＷは、ＣＤフォーマットで３Ｔ〜１１Ｔのマーク長をレーザー光の照射により記録するもので、レーザーの照射方法として図６に示すような一つのマーク長に対して複数のパルス光を一定間隔で照射することにより一つのマーク長を書き込むというものである。しかも、ＣＤ−ＲＷでは形成しようとするマーク長に対するパルスの全体の幅は余熱の影響を考慮してマーク長より幾分か小さくする設定の必要があり、さらに、自己マーク長の長さ、前書き込みからの距離、時間によっても余熱の影響が違うため細かい設定が必要である。また、パルスの発生回路にノイズが乗ることもあるが、一時的なもので特に問題はおきない。
【０００３】
【発明が解決しようとする課題】
光ディスクに情報を記録する場合、高倍速での書き込みが必須条件となりつつある。しかも、この高倍速での書き込みではそれぞれのパルス幅をより細かい精度で調整する必要があり、この高倍速での書き込みを実現するためのパルス発生装置として非同期クロックを用いた図３に示すような回路が考えられる。
【０００４】
図３，図４を用いて動作を説明する。
図４（ａ）は書き込みたいマーク長ＥＦＭ、図４（ｂ）はマーク長に対するレーザー出力であって、このレーザー出力は図４（ｃ）（ｅ）（ｈ）に示す第１，第２，第３の入力信号としての第１，第２，第３のクロックＡＣＫ，ＢＣＫ，ＣＣＫに基づいて次のように生成されている。
【０００５】
初期状態の出力がL出力であるＤフリップフロップ１２のクロック入力に、図４（ｃ）に示すようにマーク長の書き込みに適するように調整された第１のクロックＡＣＫを入力すると、この第１のクロックＡＣＫの立ち上がりエッジのタイミングで、Ｄフリップフロップ１２の出力をインバータ１７で反転したものをデータ入力としているＤフリップフロップ１２の出力は、図４（ｄ）に示すようになる。
【０００６】
初期状態の出力がL出力であるＤフリップフロップ１３のクロック入力に、図４（ｅ）に示すようにマーク長の書き込みに適するように調整された第２のクロックＢＣＫを入力すると、この第２のクロックＢＣＫの立ち上がりエッジのタイミングで、Ｄフリップフロップ１３の出力をインバータ１８で反転したものをデータ入力としているＤフリップフロップ１３の出力は、図４（ｆ）に示すようになる。
【０００７】
図４（ｄ）と図４（ｆ）を入力とするＥｘ−ＯＲ１５の出力は図４（ｇ）に示すようになる。
さらに、初期状態の出力がＬ出力であるＤフリップフロップ１４のクロック入力に、図４（ｈ）に示すようにマーク長の書き込みに適するように調整された第３のクロックＣＣＫを入力すると、この第３のクロックＣＣＫの立ち上がりエッジのタイミングで、Ｄフリップフロップ１４の出力をインバータ１９で反転したものをデータ入力としているＤフリップフロップ１４の出力は、図４（ｉ）に示すようになる。
【０００８】
図４（ｉ）と図４（ｇ）を入力とするＥｘ−ＯＲ１６の出力が書き込みパルスとなる。
しかしながらこの回路では、ノイズがクロックラインに入った時、波形崩れを起こして自己復帰しない問題がある。図３と図５を用いて説明する。
【０００９】
初期状態の出力がＬ出力であるＤフリップフロップ１２に、マーク長の書き込みに適するように調整されてはいるが不意にノイズの乗ってしまった第１のクロックＡＣＫが入力されると、その立ち上がりエッジのタイミングでＤフリップフロップ１２の出力の反転を入力とするＤフリップフロップ１２の出力は図５（ｄ）となる。また、次に初期状態の出力がＬ出力であるＤフリップフロップ１３にマーク長の書き込みに適するように調整された第２のクロックＢＣＫを入力するとＤフリップフロップ１４の出力の反転を入力とするＤフリップフロップの出力は図５（ｆ）となる。図５（ｄ）と図５（ｆ）を入力とするＥｘ−ＯＲ１５の出力は図５（ｇ）に示すようになる。
【００１０】
さらに、初期状態の出力がＬ出力であるＤフリップフロップ１４に微調整されたクロックｈを入力するとＤフリップフロップ１４の出力の反転を入力とするＤフリップフロップ１４の出力は図５（ｉ）となる。
【００１１】
波形からわかるようにＤフリップフロップ１２の出力の波形はノイズの立ち上がりのタイミングで反転しているため、Ｅｘ−ＯＲ１６の出力は図５（ｊ）に示すように本来必要とする書き込みパルスと比べて、ノイズが入った瞬間から反転している。
【００１２】
このため、この図３の回路では動作途中のノイズで書き込みパルスが反転するため正常にディスクに書き込めない問題がある。また初期状態で正常な値に確定していない場合でも同様の問題がある。
【００１３】
本発明は上記の問題点である書き込みパルスの反転状態を本来の状態に戻すことができるパルス発生装置を提供することを目的とする。
【００１４】
【課題を解決するための手段】
本発明のパルス発生装置は、図３に示した回路の第１〜第３のＤフリップフロップ１２，１３，１４のデータ入力に、個々のＤフリップフロップの出力を反転した信号と目的の出力パルス発生するＥｘ−ＯＲの出力との排他的論理和を検出するＥｘ−ＯＲまたはＥｘ−ＮＯＲをそれぞれ設けたことを特徴とし、各Ｄフリップフロップの初期状態の違いや各Ｄフリップフロップのクロック信号線に乗ったノイズのために発生した書き込みパルスの反転状態を本来の書き込みパルスの状態に戻すことができる。
【００１５】
【発明の実施の形態】
本発明のパルス発生装置は、第１，第２，第３の入力信号に基づいて目的の出力パルス信号を得るパルス発生装置であって、第１の入力信号の立ち上がりで入力に対して出力をする第１のＤフリップフロップと、第２の入力信号の立ち上がりで入力に対して出力をする第２のＤフリップフロップと、第３の入力信号の立ち上がりで入力に対して出力をする第３のＤフリップフロップと、第１，第２のＤフリップフロップの出力を入力とする第１のＥｘ−ＯＲと、第３のＤフリップフロップの出力と第１のＥｘ−ＯＲの出力を入力とする第２のＥｘ−ＯＲと、第１のＤフリップフロップの出力の反転信号と第２のＥｘ−ＯＲの出力とを入力とし出力を第１のＤフリップフリップの入力とする第３のＥｘ−ＯＲと、第２のＤフリップフロップの出力の反転信号と第２のＥｘ−ＯＲの出力とを入力とし出力を第２のＤフリップフリップの入力とする第１のＥｘ−ＮＯＲと、第３のＤフリップフロップの出力の反転信号と第２のＥｘ−ＯＲの出力とを入力とし出力を第３のＤフリップフリップの入力とする第４のＥｘ−ＯＲとを備え、第２のＥｘ−ＯＲの出力から目的の出力パルス信号を得ることを特徴とする。
【００１６】
以下、本発明の実施の形態のパルス発生装置を図１と図２に基づいて説明する。
図１に示す本発明のパルス発生装置は、第１の入力信号としての第１のクロックＡＣＫの立ち上がりで入力に対して出力をする第１のＤフリップフロップ１と、第２の入力信号としての第２のクロックＢＣＫの立ち上がりで入力に対して出力をする第２のＤフリップフロップ２と、第３の入力信号としての第３のクロックＣＣＫの立ち上がりで入力に対して出力をする第３のＤフリップフロップ３と、第１，第２のＤフリップフロップ１，２の出力を入力とする第１のＥｘ−ＯＲ４と、第３のＤフリップフロップ３の出力と第１のＥｘ−ＯＲ４の出力を入力とする第２のＥｘ−ＯＲ５と、第１のＤフリップフロップ１の出力をインバータ９で反転した反転信号と第２のＥｘ−ＯＲ５の出力とを入力とし出力を第１のＤフリップフリップ１のデータ入力とする第３のＥｘ−ＯＲ６と、第２のＤフリップフロップ２の出力をインバータ１０で反転したの反転信号と第２のＥｘ−ＯＲ５の出力とを入力とし出力を第２のＤフリップフリップ２のデータ入力とする第１のＥｘ−ＮＯＲ７と、第３のＤフリップフロップの出力をインバータ１１で反転した反転信号と第２のＥｘ−ＯＲ５の出力とを入力とし出力を第３のＤフリップフリップ３のデータ入力とする第４のＥｘ−ＯＲ８とで構成されている。
【００１７】
図２は図１の要部の波形図を示しており、（ａ）は書き込みたいマーク長ＥＦＭ、（ｂ）はマーク長に対するレーザー出力、（ｃ）は第１のクロックＡＣＫ、（ｄ）は第１のＤフリップフロップ１の出力、（ｅ）は第２のクロックＢＣＫ、（ｆ）は第２のＤフリップフロップ２の出力、（ｇ）はＥｘ−ＯＲ４の出力、（ｈ）は第３のクロックＣＣＫ、（ｉ）は第３のＤフリップフロップ３の出力、（ｊ）はＥｘ−ＯＲ５の出力である。
【００１８】
図１において初期状態の出力がＬであるＤフリップフロップ１に、マーク長の書き込みに適するように調整されてはいるが図２（ｃ）に示すようにノイズを含んだ第１のクロックＡＣＫか供給された場合には、Ｄフリップフロップ１の出力が図２（ｄ）に示すようにクロックラインに乗ったノイズの瞬間に本来の出力から反転した出力となる。また、このとき図２（ｊ）に示すように目的の出力パルスも反転する。
【００１９】
次に、マーク長の書き込みに適するように調整された第２のクロックＢＣＫによってＤフリップフロップ２はデータ入力に供給されるデータをラッチする。この時の入力はＥｘ−ＯＲ５の出力である（ｊ）とＤフリップフロップ２の出力の反転信号を入力にもつＥｘ−ＮＯＲ７の出力である。
【００２０】
Ｅｘ−ＮＯＲ７の出力は、Ｄフリップフロップ２の出力とは本来反転した関係になるはずであるがノイズによる影響により同じ信号になる。このため、クロック（ｅ）による書き込みパルスの反転は起こらず、以降は正常に書き込みパルスが出力される。
【００２１】
なお、図２で（ｅ）（ｈ）に示す第２，第３のクロックＢＣＫ，ＣＣＫにノイズが乗った場合でも上述と同様の動作により書き込みパルスは正常に戻る。
【００２２】
【発明の効果】
以上のように本発明のパルス発生装置によれば、第１〜第３のＤフリップフロップのデータ入力に、個々のＤフリップフロップの出力を反転した信号と目的の出力パルス発生するＥｘ−ＯＲの出力との排他的論理和を検出するＥｘ−ＯＲまたはＥｘ−ＮＯＲをそれぞれ設けることによって、書き込みパルスがノイズ等の影響により波形の異常を起こしたとしても、再び正常な状態への復帰が図れるものである。
【図面の簡単な説明】
【図１】本発明の実施の形態のパルス発生装置の構成図
【図２】同実施の形態の第１の入力信号にノイズが乗ったときの各部の波形図
【図３】一般的に考えられるパルス発生装置の構成図
【図４】図３において正常な書き込みのときの波形図
【図５】図３においてノイズによる異常波形図
【図６】トラック上に書き込む信号の説明図
【符号の説明】
１  第１のＤフリップフロップ
２  第２のＤフリップフロップ
３  第３のＤフリップフロップ
４  第１のＥｘ−ＯＲ
５  第２のＥｘ−ＯＲ
６  第３のＥｘ−ＯＲ
７  第１のＥｘ−ＮＯＲ
８  第４のＥｘ−ＯＲ
９  インバータ
１０  インバータ
１１  インバータ
ＡＣＫ    第１のクロック（第１の入力信号）
ＢＣＫ    第２のクロック（第２の入力信号）
ＣＣＫ    第３のクロック（第３の入力信号）
【図１】
0003744779.tif 000002
【図２】
0003744779.tif 000003
【図３】
0003744779.tif 000004
【図４】
0003744779.tif 000005
【図５】
0003744779.tif 000006
【図６】
0003744779.tif 000007